(57)【要約】【課題】既存のトイレットペーパーなどの水解性紙を利用して、水解性を生じさせず、擦過時に大きな摩擦無く、おしりの拭き取りを行い、使用後は水解紙とともにトイレに流せる様な、おしり拭き取り製剤を提供する。【解決手段】１）界面活性剤１〜１０重量％と２）多価アルコール１〜５重量％と３）水７０〜９５重量％とを含有する組成物を作成し、泡沫状のエアゾールとして吐出させる。泡沫状のエアゾールとしては、ポンプフォーマーを用いることが好ましい。界面活性剤としては、イオン性の界面活性剤を含まず、非イオン界面活性剤のみで構成することが好ましい。【選択図】  なし【特許請求の範囲】
【請求項１】
おしり拭きの為の泡沫状エアゾール用の組成物であって、１）界面活性剤１〜１０重量％と２）多価アルコール１〜１０重量％と３）水７０〜９５重量％とを含有することを特徴とする、泡沫形成組成物。
【請求項２】
前記界面活性剤が、非イオン性界面活性剤のみであることを特徴とする、請求項１に記載の泡沫形成組成物。
【請求項３】
界面活性剤として、ポリグリセリンの脂肪酸エステルを含有することを特徴とする、請求項１又は２に記載の泡沫形成組成物。
【請求項４】
ポンプフォーマー用の組成物であることを特徴とする、請求項１〜３何れか１項に記載の泡沫形成組成物。
【請求項５】
水解性紙又は水解性不織布上に泡沫として噴出し、拭き取りに使用するものであることを特徴とする、請求項１〜４何れか１項に記載の泡沫形成組成物。
【請求項６】
赤ちゃんのおしり拭き用、痔疾の人のおしり拭き用或いは老人介護の際のおしり拭き用であることを特徴とする、請求項１〜５何れか１項に記載の泡沫形成組成物。
【請求項７】
請求項１〜６何れか１項に記載の泡沫形成組成物をポンプフォーマー又はガスとともにエアゾール容器に充填してなるおしり拭き。
【請求項８】
赤ちゃんのおしり拭き用、痔疾の人のおしり拭き用或いは老人介護の際のおしり拭き用であることを特徴とする、請求項７に記載のおしり拭き。
【発明の詳細な説明】
【０００１】
【発明の属する技術分野】
本発明は、おしり拭き用の組成物に関し、更に詳細には、赤ちゃんのおしり拭き用、痔疾の人のおしり拭き用或いは老人介護の際のおしり拭き用等のおしり拭きに好適な泡沫状エアゾール用の組成物に関する。
【０００２】
【従来の技術】
従来、排便後肛門の周囲を清浄にするには、水解性紙（トイレットペーパー）を用いて擦過して拭うのが常であり、これは、トイレに流ししてしまえるという利点があり、この様な生活習慣は広範囲に速やかに広まった。しかしながら、水解性紙においては、水に触れるとすぐに崩壊する様に、その表面構造が乱雑に荒らされている為、この様な構造に起因する摩擦により、擦過時に、擦過部位を傷つけやすい欠点が存した。この様な欠点は、肌の弱い赤ちゃん、既に炎症乃至は創傷の存する痔疾患者、床擦れ等の存する老人などのおしりを水解紙乃至は水解性不織布で擦過することは、肌を著しく傷つけることになり好ましくなく、この為、擦過時の摩擦係数を下げる手段として、水を含む水性担体等湿潤化させる方法が考案されたが、水解紙乃至は水解性不織布のバインダーを変えて、低濃度のアルコール水溶液に溶解せず、水には溶解するような性質の高分子をバインダーにする技術が考え出されているが、（例えば、特許文献１〜３）アルコール水溶液と水とで溶解性の大きく異なる高分子は存在せず、拭き取り時に破れやすかったり、水洗時にトイレを詰まらせるなどの欠点が存した。又、水性担体を予め含浸させた水解性紙を持ち運ばなければならない為、携帯性の問題も存した。この為、携帯用エアゾール噴出物で、おしりを洗浄する技術なども開発されている。（例えば、特許文献４）又、油性成分のみからなる組成物をトイレットペーパーに含浸させる技術は既に知られており、この含浸の為の組成物が、既に商品として市販されている。かかる組成物をトイレットペーパーに含浸させることにより、擦過時の摩擦係数を著しく減じ、擦過による創傷形成を防ぐことが出来るし、組成物のみを携帯すればよいので、携帯性に優れる利点を有しているが、この組成物に於いては、水溶性の汚れを完全には拭いきれない、下着に油汚れを残す、使用後感がべたべたして、気持ち悪いと言う欠点を有していた。即ち、既存のトイレットペーパーなどの水解性紙を利用して、水解性を生じさせず、擦過時に大きな摩擦無く、おしりの拭き取りを行い、使用後は水解紙とともにトイレに流せる様な、おしり拭き取り製剤の開発が望まれていた。
【０００３】
一方、泡沫状エアゾールの、おしり拭き取り製剤は全く知られていないし、泡沫状エアゾール用の組成物であって、１）界面活性剤１〜１０重量％と２）多価アルコール１〜１０重量％と３）水７０〜９５重量％とを含有するものが、水解紙の水解性を誘起することなく、おしり擦過時の摩擦係数を著しく減じ、以て、拭き取り時の創傷形成などを抑制することも全く知られていなかった。
【０００４】
【特許文献１】
特開２００３−２０５９７号公報
【特許文献２】
特開平１１−２２９２９３号公報
【特許文献３】
特開平９−２９６３８９号公報
【特許文献４】
特開平１０−５２３８１号公報
【０００５】
【発明が解決しようとする課題】
この様な状況下為されたものであり、既存のトイレットペーパーなどの水解性紙を利用して、水解性を生じさせず、擦過時に大きな摩擦無く、おしりの拭き取りを行い、使用後は水解紙とともにトイレに流せる様な、おしり拭き取り製剤を提供することを課題とする。
【０００６】
【課題の解決手段】
この様な状況に鑑みて、本発明者らは、既存のトイレットペーパーなどの水解性紙を利用して、水解性を生じさせず、擦過時に大きな摩擦無く、おしりの拭き取りを行い、使用後は水解紙とともにトイレに流せる様な、おしり拭き取り製剤を求めて、鋭意研究努力を重ねた結果、１）界面活性剤１〜１０重量％と２）多価アルコール１〜１０重量％と３）水７０〜９５重量％とを含有する、泡沫形成組成物がその様な特性を有していることを見出し、発明を完成させるに至った。即ち、本発明は、以下に示す技術に関するものである。
（１）おしり拭きの為の泡沫状エアゾール用の組成物であって、１）界面活性剤１〜１０重量％と２）多価アルコール１〜５重量％と３）水７０〜９５重量％とを含有することを特徴とする、泡沫形成組成物。
（２）前記界面活性剤が、非イオン性界面活性剤のみであることを特徴とする、（１）に記載の泡沫形成組成物。
（３）界面活性剤として、ポリグリセリンの脂肪酸エステルを含有することを特徴とする、（１）又は（２）に記載の泡沫形成組成物。
（４）ポンプフォーマー用の組成物であることを特徴とする、（１）〜（３）何れか１項に記載の泡沫形成組成物。
（５）水解性紙又は水解性不織布上に泡沫として噴出し、拭き取りに使用するものであることを特徴とする、（１）〜（４）何れか１項に記載の泡沫形成組成物。
（６）赤ちゃんのおしり拭き用、痔疾の人のおしり拭き用或いは老人介護の際のおしり拭き用であることを特徴とする、（１）〜（５）何れか１項に記載の泡沫形成組成物。
（７）（１）〜（６）何れか１項に記載の泡沫形成組成物をポンプフォーマー又はガスとともにエアゾール容器に充填してなるおしり拭き。
（８）赤ちゃんのおしり拭き用、痔疾の人のおしり拭き用或いは老人介護の際のおしり拭き用であることを特徴とする、（７）に記載のおしり拭き。
【０００７】
【発明の実施の形態】
（１）本発明の泡沫形成組成物の必須成分である界面活性剤
本発明の泡沫形成組成物は、界面活性剤を必須成分として、１〜１０重量％、より好ましくは３〜６重量％含有する。界面活性剤としては、化粧料などで使用されているものであれば、特段の限定無く準用できる。この様な界面活性剤としては、例えば、ソルビタンセスキオレート、ソルビタンモノオレート、ソルビタントリオレート、ソルビタンセスキステアレート、ソルビタンモノステアレート、ポリオキシエチレンソルビタンモノオレート、ポリオキシエチレンソルビタンモノステアレート、ポリオキシエチレンステアレート、ポリオキシエチレンオレート、ポリオキシエチレングリセリル脂肪酸エステル、ポリエキシエチレンアルキルエーテル、ポリオキシエチレン硬化ヒマシ油、ポリグリセリン脂肪酸エステル等の非イオン性界面活性剤、脂肪酸石鹸、ソジウムラウリルステアレート、ポリオキシエチレンアルキル硫酸塩、スルホコハク酸エステル塩などのアニオン界面活性剤、４級アルキルアンモニウム塩等のカチオン界面活性剤類、アルキルベタイン等の両性界面活性剤類等が好適に例示でき、刺激発現性の低さからは非イオン性界面活性剤が特に好ましく、中でも、ラウリン酸ドデカグリセリン、ラウリン酸デカグリセリン、ラウリン酸ヘキサグリセリン、ステアリン酸デカグリセリンなどのポリグリセリン脂肪酸エステル及びポリオキシエチレンイソステアリン酸グリセリル、ポリオキシエチレンヤシ油脂肪酸グリセリル等のポリオキシエチレン脂肪酸グリセリル等が好適に例示でき、この両者の併用が特に好ましい。
【０００８】
（２）本発明の泡沫形成組成物の必須成分である多価アルコール
本発明の泡沫形成組成物は、必須成分として、多価アルコールを１〜１０重量％、より好ましくは、２〜５重量％含有することを特徴とする。多価アルコールとしては、通常化粧料で使用されているものであれば特段の限定無く使用することが出来、例えば、グリセリン、ジグリセリン、１，３−ブタンジオール、ジプロピレングリコール、ポリエチレングリコール、１，２−ペンタンジオール、１，２−ヘキシレングリコール、イソプレングリコールなどの多価アルコールが好ましく例示でき、中でも、抗菌性を有する、１，３−ブタンジオール、１，２−ペンタンジオール、１，２−ヘキシレングリコール及びイソプレングリコールから選択される１種乃至は２種以上が好ましく例示できる。本発明の泡沫形成組成物に於いては、かかる多価アルコールを唯一種含有することも出来るし、二種以上組み合わせて含有することも出来る。本発明の泡沫形成組成物に於いて多価アルコールは、系の防腐力を維持するとともに、擦過後の保湿作用、被擦過部位の保護、中極性の排泄物の除去作用等の効果を有する。又、水解性紙の水解速度を調整する作用も有する。即ち、多価アルコールを含有させることにより、拭き取り作業中に水解紙が水解したり、部分水解で強度を減じ、破れたりするのを防ぐことが出来る。
【０００９】
（３）本発明の泡沫形成組成物の必須成分である水
本発明の泡沫形成組成物は、水を７０〜９５重量％、より好ましくは８０〜９３重量％を含有することを特徴とする。本発明の泡沫形成組成物に於いて、水は、かかる含有することにより、水洗性を向上させる作用を有する。又、かかる割合の水分を含有することにより、発泡性を著しく向上させることが出来る。良好な発泡性により、水解紙が水濡れにより、水解したり、部分水解により強度を減じたりすることを防ぐことが出来る。
【００１０】
（４）本発明の泡沫形成組成物
本発明の泡沫形成組成物は、おしり拭きの為の泡沫状エアゾール用の組成物であって、上記必須成分を含有することを特徴とする。本発明の泡沫形成組成物に於いてはこれらの必須成分以外に、通常化粧料で知られている任意成分を含有することが出来る。かかる任意成分としては、例えば、スクワラン、流動パラフィン、軽質流動イソパラフィン、重質流動イソパラフィン、マイクロクリスタリンワックス、固形パラフィンなどの炭化水素類、ジメチコン、フェメチコン、シクロメチコン、アモジメチコン、ポリエーテル変性シリコーンなどのシリコーン類、ホホバ油、カルナウバワックス、モクロウ、ミツロウ、ゲイロウ、オレイン酸オクチルドデシル、イソプロピルミリステート、ネオペンチルグリコールジイソステアレート、リンゴ酸ジイソステアレートなどのエステル類、ステアリン酸、ラウリン酸、ミリスチン酸、パルミチン酸、イソステアリン酸、イソパルミチン酸、ベヘン酸、オレイン酸などの脂肪酸類、ベヘニルアルコール、セタノール、オレイルアルコール、オクタデシルアルコールなどの高級アルコール類、ヒマシ油、椰子油、水添椰子油、椿油、小麦胚芽油、イソステアリン酸トリグリセライド、イソオクタン酸トリグリセライド、オリーブオイル等のトリグリセライド類、結晶セルロースや架橋型メチルポリシロキサン、ポリエチレン粉末、アクリル樹脂粉体等の有機粉体類、タルク、マイカ、セリサイト、炭酸マグネシウム、炭酸カルシウム、二酸化チタン、酸化鉄、紺青、群青、チタンマイカ、チタンセリサイト、シリカ等の表面処理されていても良い粉体類、アクリル酸・メタクリル酸アルキルコポリマー及び／又はその塩、カルボキシビニルポリマー及び／又はその塩、キサンタンガムやヒドロキシプロピルセルロースなどの増粘剤、レチノール、レチノイン酸、トコフェロール、リボフラビン、ピリドキシン、アスコルビン酸、アスコルビン酸リン酸エステル塩などのビタミンやグリチルリチン酸塩、グリチルレチン、ウルソール酸、オレアノール酸などのテルペン類、エストラジオール、エチニルエストラジオール、エストリオールなどのステロイド類などの有効成分、フェノキシエタノール、パラベン類、ヒビテングルコネート、塩化ベンザルコニウム等の防腐剤、ジメチルアミノ安息香酸エステル類、桂皮酸エステル類、ベンゾフェノン類などの紫外線吸収剤などが好ましく例示できる。好ましい形態としては、アニオン性界面活性剤、カチオン性界面活性剤或いは両性界面活性剤などのイオン性界面活性剤を含有しない形態である。これは、使用時の刺激感の発現が抑制できることと、かかる成分が無くとも、非イオン界面活性剤として、ポリオキシエチレン脂肪酸グリセリル及び／又はポリグリセリン脂肪酸エステルを含有させることにより、コシの強い泡沫が、得られる為である。又抗菌性を有する、１，３−ブタンジオール、１，２−ペンタンジオール、１，２−ヘキシレングリコール及びイソプレングリコールから選択される１種乃至は２種以上を含有する形態に於いては、抗菌性が高い為、一過性の刺激性の高いパラベン類を防腐剤として使用しなくとも、一過性の刺激の低いフェノキシエタノールを含有させることにより、充分な防腐力が得られる為、この様な条件下、フェノキシエタノールをパラベン類に代えて使用することが好ましい。この様な場合のフェノキシエタノールの好ましい含有量は、０．１〜１重量％である。
【００１１】
かかる成分を常法に従って処理することにより、本発明の泡沫形成組成物は製造することが出来る。かくして得られた本発明の泡沫形成組成物は、液化ガスとともにエアゾール容器に充填したり、ポンプフォーマー容器に充填するなどのエアゾール形成条件下コシの強い、肌理の細かい優れた泡沫を形成する。かかる泡沫は、トイレットペーパー等の水解性紙上に吐出しても、水分が水解性紙に染み込みにくい為、水解性紙を水解させたり、部分水解し、強度を減じさせたりすることがない。この為、かかる組成物を用いて拭き取り作業を行っても水解性紙が破れたりすることがない。従って、赤ちゃんのおしり拭き用、痔疾の人のおしり拭き用或いは老人介護の際のおしり拭きを行うのに好適である。本発明の泡沫形成組成物の存在下拭き取り作業しても、摩擦係数を減じる為、擦過により肌を傷つけにくいし、創傷を痛めることもない。又、含有している抗菌成分と保湿成分により、拭き取り後のケアにも有益である。前記泡沫形成条件としては、ポンプフォーマーを用いることが、液化天然ガスを使用しない点で安全性と、環境への配慮の面から好ましく、又、フロンガスを使用しないことの点で地球環境にも好ましい。又、拭き取り支持体としては、トイレットペーパーを用いればよいので、液体組成物のみを携帯すればよいので、携帯性にも優れる。斯くのごとく、本発明の泡沫形成組成物にエアゾール形成条件を付加したものが本発明のおしり拭きである。
【００１２】
【実施例】
以下に、実施例を挙げて、本発明について更に詳細に説明を加えるが、本発明がかかる実施例に限定を受けないことは言うまでもない。
【００１３】
＜実施例１＞
以下に示す処方に従って、本発明の泡沫形成組成物１を作成した。即ち、処方成分を８０℃で加熱攪拌し、可溶化した後、攪拌冷却し、本発明の泡沫形成組成物１を得た。この泡沫形成組成物１をポンプフォーマーに充填し、本発明のおしり拭き１を得た。これを用いて、拭き取り試験を行った。即ち。下腕内側部に２ｃｍ×４ｃｍの部位を設け、離乳食のトマトシチューを０．１ｇ均一に塗布し、５分静置した後、拭き取りを行った。拭き取りは、方法１が泡末組成物１を液体のまま０．１ｇトイレットペーパーに含浸させて行い、方法２がおしり拭き１より泡沫組成物１を泡状に噴出させて拭き取り、方法３はトイレットペーパーのみでふき取った。拭き取り後、部位に粘着テープを貼り付けて、剥離し、皮膚に残存した離乳食の残り具合を顕微鏡下観察した。観察は１００倍の倍率で視野の％異物が存在するかを指標とした。結果を表１に示す。これより本発明の泡沫形成組成物をエアゾール条件で泡沫としてトイレットペーパー上に噴出したものでふき取ることにより、皮膚上の異物をより効果的にふき取れることがわかる。
１，３−ブタンジオール                              ３    重量部
ＰＯＥ（７）ヤシ油脂肪酸グリセリル                  ２    重量部
ＰＯＥ（２０）イソステアリン酸グリセリル            ２    重量部
ドデカグリセリンモノラウレート                      ２    重量部
スクワラン                                          ０．１重量部
フェノキシエタノール                                ０．５重量部
水                                                ９３．４重量部
【００１４】
【表１】
2004284987.tif 000002
【００１５】
＜実施例２＞
おしり拭き１を０．１ｇトイレットペーパーに噴出したものと、トイレットペーパーのみでふき取った場合での刺激の程度を調べる為、下腕内側部での擦過試験を行った。それぞれの条件で擦過を５回繰り返し、１０分静置した後、無処置部位との色差を測定した。結果を表２に示す。これより、本発明のおしり拭きは、拭き取り擦過時に皮膚に優しく、炎症を誘起しないことがわかる。
【００１６】
【表２】
2004284987.tif 000003
【００１７】
＜実施例３＞
実施例１と同様に、下記処方に従って、本発明の泡沫形成組成物２を作成し、ポンプフォーマーに充填して、本発明のおしり拭き２を作成した。拭き取り試験による、異物残存率は０．３％であり、実施例２の手技の拭き取り試験では、０．２５であり、良好な拭き取り結果であった。
１，３−ブタンジオール                              ３    重量部
ドデカグリセリンモノラウレート                      ６    重量部
スクワラン                                          ０．１重量部
フェノキシエタノール                                ０．５重量部
水                                                ９３．４重量部
【００１８】
＜実施例４＞
実施例１と同様に、下記処方に従って、本発明の泡沫形成組成物３を作成し、ポンプフォーマーに充填して、本発明のおしり拭き３を作成した。拭き取り試験による、異物残存率は０．２％であり、実施例２の手技の拭き取り試験では、０．７であり、良好な拭き取り結果であったもの、刺激はアニオン性界面活性剤を添加することにより高くなっていた。
１，３−ブタンジオール                              ３    重量部
ＰＯＥ（７）ヤシ油脂肪酸グリセリル                  １．５重量部
ラウリル硫酸ナトリウム                              ０．５重量部
ＰＯＥ（２０）イソステアリン酸グリセリル            ２    重量部
ドデカグリセリンモノラウレート                      ２    重量部
スクワラン                                          ０．１重量部
フェノキシエタノール                                ０．５重量部
水                                                ９３．４重量部
【００１９】
＜実施例５＞
実施例１と同様に、下記処方に従って、本発明の泡沫形成組成物４を作成し、ポンプフォーマーに充填して、本発明のおしり拭き４を作成した。拭き取り試験による、異物残存率は０．１％であり、実施例２の手技の拭き取り試験では、０．５であり、良好な拭き取り結果であったもの、刺激は両性界面活性剤を添加することにより高くなっていた。
１，３−ブタンジオール                              ３    重量部
ＰＯＥ（７）ヤシ油脂肪酸グリセリル                  １．５重量部
ラウリルジメチルアミノ酢酸ベタイン                  ０．５重量部
ＰＯＥ（２０）イソステアリン酸グリセリル            ２    重量部
ドデカグリセリンモノラウレート                      ２    重量部
スクワラン                                          ０．１重量部
フェノキシエタノール                                ０．５重量部
水                                                ９３．４重量部
【００２０】
＜実施例６＞
実施例１の本発明の泡沫形成組成物１の９０重量部を、液化天然ガス１０重量部とともに、エアゾール容器に充填し、密封して、本発明のおしり拭き５を作成した。このもの使用性もおしり拭き１と同程度であり、泡沫化方法はガスによるエアゾールでも、ポンプフォーマーによるエアゾールでも構わないことがわかった。
【００２１】
【発明の効果】
本発明によれば、既存のトイレットペーパーなどの水解性紙を利用して、水解性を生じさせず、擦過時に大きな摩擦無く、おしりの拭き取りを行い、使用後は水解紙とともにトイレに流せる様な、おしり拭き取り製剤を提供することができる。